(57)【要約】      （修正有）【課題】子供が容器本体内の物を誤って食べてしまうことを防止する包装箱の安全錠構造を提供する。【解決手段】蓋体と、ネックを有する容器本体とを含み、ネックの外壁に雄ねじが設けられ、蓋体の内壁に雌ねじが設けられ、蓋体の側壁に少なくとも２箇所の押圧部１３が設けられ、押圧部の内壁に弾力性バックル１１が設けられ、容器本体の上端面には、弾力性バックルに対応する遮断部が設けられる。蓋体を容器本体にねじ込ませると、弾力性バックルと遮断部とは互いに締め付けられる。蓋体を開ける必要がある場合、片手で容器本体を握り、片手で押圧部を押して弾力性バックルと遮断部とを離間させるとともに、蓋体を回転させることで、蓋体を開けることができる。子供の手の大きさの限界から、子供が片手で２つの押圧部を押すことができないため蓋体を開けることができない。【選択図】図５
0003230241.tif 000002
【実用新案登録請求の範囲】
【請求項１】
包装箱の安全錠構造であって、
蓋体と、ネックを有する容器本体とを含み、
前記ネックは、開口を有し、
前記ネックの外壁には、雄ねじが設けられ、
前記蓋体の内壁には、雄ねじに螺合する雌ねじが設けられ、
前記蓋体の側壁には、少なくとも２箇所に押圧部が設けられ、
前記押圧部の内壁には、弾力性バックルが設けられ、
前記容器本体の上端面には、弾力性バックルに対応する遮断部が設けられ、
蓋体を容器本体にねじ込ませると、前記弾力性バックルと遮断部とは互いに締め付けられる、
ことを特徴とする包装箱の安全錠構造。
【請求項２】
前記蓋体の表面には内方へ窪んだ凹部が設けられ、
前記凹部の内側壁によって前記押圧部を形成し、
前記弾力性バックルは、凹部の内側壁に設けられてかつ蓋体の中心に近い、
ことを特徴とする請求項１に記載の包装箱の安全錠構造。
【請求項３】
前記凹部の底部と押圧部との間に切り込みが設けられている、
ことを特徴とする請求項１に記載の包装箱の安全錠構造。
【請求項４】
前記弾力性バックルは、ベース部と、ベース部の下面に設けられてかつベース部の一方に近い弾力性ブロックを含み、
前記弾力性ブロックとベース部の他方との間に切り込みが形成され、
蓋体を容器本体にねじ込ませると、前記遮断部と切り込みとは、互いに締め付けられる、
ことを特徴とする請求項１〜３のいずれか１項に記載の包装箱の安全錠構造。
【請求項５】
前記弾力性ブロックには、雌ねじの回転方向に一致する案内片が設けられ、
蓋体を容器本体にねじ込ませると、遮断部は、案内片に沿って切り込み内に摺動する、
ことを特徴とする請求項４に記載の包装箱の安全錠構造。
【請求項６】
前記弾力性バックルの数は２つであり、かつ２つの弾力性バックルは、蓋体の内壁に対向して設けられている、
ことを特徴とする請求項１に記載の包装箱の安全錠構造。
【考案の詳細な説明】
【技術分野】
【０００１】
本願は、２０１８年１２月１０日に提出された出願番号２０１８２２０７１６３１．９の中国特許出願を基礎とし、その優先権を主張し、当該出願のすべての内容が全体的に本願に取り込まれる。
【０００２】
（技術分野）
本願は、容器の技術分野に関し、特に包装箱の安全錠構造に関する。
【背景技術】
【０００３】
従来の容器は、通常、容器本体および容器本体の蓋となる蓋体を含み、蓋体を開けると、容器内に収納された液体や小物を出すことができる。小さい粒子状の物や腐食性のものが容器内に収納される場合、子供が簡単に容器を開けることができるため、子供がそれを簡単に誤って食べてしまう。
【考案の概要】
【考案が解決しようとする課題】
【０００４】
本願の目的は、従来技術の不備を解決し、包装箱の安全錠構造を提供することにある。
【課題を解決するための手段】
【０００５】
包装箱の安全錠構造において、蓋体と、ネックを有する容器本体とを含み、前記ネックは、開口を有し、前記ネックの外壁には、雄ねじが設けられ、前記蓋体の内壁には、雄ねじに螺合する雌ねじが設けられ、前記蓋体の側壁には、少なくとも２箇所に押圧部が設けられ、前記押圧部の内壁には、弾力性バックルが設けられ、前記容器本体の上端面には、弾力性バックルに対応する遮断部が設けられ、蓋体を容器本体にねじ込ませると、前記弾力性バックルと遮断部とは互いに締め付けられる。
【０００６】
蓋体の表面には内方へ窪んだ凹部が設けられ、前記凹部の内側壁によって前記押圧部を形成し、前記弾力性バックルは、凹部の内側壁に設けられてかつ蓋体の中心に近いことが好ましい。
【０００７】
凹部の底部と押圧部との間に切り込みが設けられていることが好ましい。
【０００８】
弾力性バックルは、ベース部と、ベース部の下面に設けられてかつベース部の一方に近い弾力性ブロックを含み、弾力性ブロックとベース部の他方との間に切り込みが形成され、蓋体を容器本体にねじ込ませると、遮断部と切り込みとは、互いに締め付けられることが好ましい。
【０００９】
弾力性ブロックには、雌ねじの回転方向に一致する案内片が設けられ、蓋体を容器本体にねじ込ませると、遮断部は、案内片に沿って切り込み内に摺動することが好ましい。
【００１０】
弾力性バックルの数は２つであり、かつ２つの弾力性バックルは、蓋体の内壁に対向して設けられていることが好ましい。
【考案の効果】
【００１１】
蓋体を開ける必要がある場合、片手で容器本体を握り、片手で押圧部を押して弾力性バックルと遮断部とを離間させるとともに、蓋体を回転させることで、蓋体を開けることができる。子供の手の大きさの限界から、子供が片手で２つの押圧部を押すことができないため蓋体を開けることができず、容器本体内の物を誤って食べてしまうことを防止することができる。蓋体を容器本体にねじ込ませる過程で、遮断部が切り込み内に摺動して切り込みに締め付けられるため、蓋体により、容器本体を確実に閉めることができる。
【００１２】
以上の説明は、本願の技術手段の概略的な記述に過ぎない。本願の技術手段をより明確に理解した上で明細書の内容に基づいて実施し、そして本願の上記およびほかの目的、特徴および利点をより明らかにするために、以下、好適な実施例を挙げ、図面とともに以下詳細に説明する。
【図面の簡単な説明】
【００１３】
【図１】本願における蓋体と容器本体の開状態時の斜視図。
【図２】本願における容器本体の斜視図。
【図３】本願における蓋体の第１の斜視図。
【図４】本願における蓋体の第２の斜視図。
【図５】図４におけるＡの一部拡大図。
【図６】本願の断面図。
【図７】図６におけるＡの一部拡大図。
【考案を実施するための形態】
【００１４】
本願の思想および目的を記載するために、以下、図面および具体的な実施例を通じて本願をさらに説明する。
【００１５】
図１〜図７に示すように、包装箱の安全錠構造は、蓋体１０と、ネック２１を有する容器本体２０とを含む。ネック２１は、開口２２を有する。ネック２１の外壁には、雄ねじが設けられている。蓋体１０の内壁には、雄ねじに螺合する雌ねじが設けられている。蓋体の側壁には、少なくとも２箇所に押圧部１３が設けられている。前記押圧部１３の内壁には、弾力性バックル１１が設けられている。容器本体２０の上端面には、弾力性バックル１１に対応する遮断部２３が設けられている。蓋体１０を容器本体２０にねじ込ませると、弾力性バックル１１と遮断部２３とは互いに締め付けられる。
【００１６】
図１〜図７に示すように、蓋体１０を開ける必要がある場合、押圧部１３を押して弾力性バックル１１と遮断部２３とを離間させるとともに、蓋体１０を回転させることで、蓋体１０を開けることができる。子供の力および手の大きさの限界から、子供は蓋体１０を開けることができず、容器本体２０内の食べ物を誤って食べてしまうことを防止することができる。蓋体１０を容器本体２０にねじ込ませる過程で、弾力性バックル１１と遮断部２３とは互いに締め付けられるため、蓋体１０により、容器本体２０を確実に閉めることができる。
【００１７】
図１〜図７に示すように、蓋体１０の表面には内方へ窪んだ凹部１２が設けられている。凹部１２の内側壁によって前記押圧部１３が形成される。押圧部１３は、蓋体１０の中心に近い。弾力性バックル１１は、凹部１２の内壁に設けられてかつ蓋体１０の中心に近い。凹部１２は、蓋体１０の下側に近い。蓋体１０及び押圧部１３は、弾力性バックル１１と一体成型され、遮断部２３と容器本体２０とは一体成型される。
【００１８】
図１〜図７に示すように、凹部１２の底部１５と押圧部１３との間に切り込み１４が設けられているため、押圧部１３は、弾力性バックル１１と遮断部２３の締め付け及び離間を行うための一定の弾力性を有している。
【００１９】
図１〜図７に示すように、弾力性バックル１１は、ベース部１１１と、ベース部の下面１１１に設けられてかつベース部１１１の一方に近い弾力性ブロック１１２を含む。ベース部１１１は、押圧部１３の内壁に固定して接続される。弾力性ブロック１１２とベース部１１１の他方との間にＬ字型の切り込み１１３が形成される。蓋体１０を容器本体２０にねじ込ませると、遮断部２３が切り込み１１３内に摺動することによって、遮断部２３と切り込み１１３とは締め付けられる。弾力性ブロック１１２には、雌ねじの回転方向に一致する円弧状の案内片１１４が設けられることが好ましく、蓋体１０を容器本体２０にねじ込ませると、遮断部２３は、案内片１１４に沿って切り込み１１３内に摺動する。
【００２０】
図１〜図７に示すように、押圧部１３の数は２つであり、かつ２つの押圧部１３は、蓋体１０の側壁に対向して設けられている。弾力性バックル１１の数は２つであり、かつ２つの弾力性バックル１１は、蓋体１０の内壁に対向して設けられている。遮断部２３の数は２つであり、かつ２つの遮断部２３は、蓋体１０の内壁に対向して設けられている。蓋体１０を開ける必要がある場合、親指と中指で同時に押圧部１３を押して遮断部２３を切り込み１１３から離間させるとともに、蓋体１０を回転させことで、蓋体１０を開けることができる。子供の力と手の大きさの限界から、子供は蓋体１０を開けることができず、容器本体２０内の食べ物を誤って食べてしまうことを防止することができる。蓋体１０を容器本体２０にねじ込ませる過程で、弾力性バックル１１と遮断部２３とは締め付けられるため、蓋体１０により、容器本体２０を確実に閉めることができる。
【００２１】
以上は、本願の具体的な実施形態である。なお、当業者は、本願の原理を逸脱せずに様々な改良や修飾をすることもできる。これらの改良や修飾も、本願の保護範囲として見なされる。
【図１】
0003230241.tif 000003
【図２】
0003230241.tif 000004
【図３】
0003230241.tif 000005
【図４】
0003230241.tif 000006
【図５】
0003230241.tif 000007
【図６】
0003230241.tif 000008
【図７】
0003230241.tif 000009